(57)【要約】【課題】簡易な構成で、配線基板との接続部位に関する電磁遮蔽を容易かつ確実に行うことを可能とする。【解決手段】両電気コネクタ１，２同士の嵌合保持部材１４に設けた導電性カバー部材１５に、当該嵌合保持部材１４の回動操作時に相手コネクタ２の導電性シェル２３に接触するカバー接点部１５ｇを設け、その導電性カバー部材１５を嵌合保持部材１４とともに回動操作させることで、配線基板Ｂ上に実装された相手コネクタ２と配線基板Ｂとの接続部位２２ａを導電性カバー部材１５により覆って配線基板Ｂとの接続部位２２ａに対する電磁遮蔽を行うとともに、導電性カバー部材１５のカバー接点部１５ｇ及び導電性シェル２３を通して、導電性カバー部材１５を接地してグランド回路を形成することにより一層良好な電磁遮蔽特性（シールド特性）を得るように構成したものである。【選択図】図２
2016207357.tif 000002
【特許請求の範囲】
【請求項１】
信号伝送媒体の端末部が連結される第１コネクタと、配線基板に接続された実装状態で前記第１コネクタが嵌合される第２コネクタと、を備え、
前記第１及び第２の両コネクタの嵌合時に、前記第１コネクタに設けられた嵌合保持部材が、前記第２コネクタに設けられた導電性シェルを外方側から覆うように回動操作される構成になされたものであって、
前記嵌合保持部材の回動操作により、前記第１及び第２の両コネクタ同士の嵌合状態が保持されるとともに、前記嵌合保持部材に設けられた導電性カバー部材が、前記第２コネクタにおける前記配線基板との接続部位を覆うように構成された電気コネクタ装置において、
前記導電性カバー部材には、前記嵌合保持部材の回動操作時に、前記第２コネクタの導電性シェルに対して接触状態となるカバー接点部が設けられていることを特徴とする電気コネクタ装置。
【請求項２】
信号伝送媒体の端末部が連結されるものであって、配線基板に接続された状態に実装される相手コネクタとの嵌合時に、当該相手コネクタに設けられた導電性シェルを嵌合保持部材が外方側から覆うように回動操作される構成になされ、
前記嵌合保持部材の回動操作によって、前記相手コネクタとの嵌合状態が保持されるとともに、前記嵌合保持部材に設けられた導電性カバー部材が、前記相手コネクタにおける前記配線基板との接続部位を覆うように構成された電気コネクタにおいて、
前記導電性カバー部材には、前記嵌合保持部材の回動操作時に、前記相手コネクタの導電性シェルに対して接触状態となるカバー接点部が設けられていることを特徴とする電気コネクタ。
【請求項３】
前記導電性カバー部材と前記嵌合保持部材とが、互いに別部材から構成されたものであって、
前記導電性カバー部材が、前記嵌合保持部材に対して機械的固定手段を介して連結されていることを特徴とする請求項１記載の電気コネクタ装置又は請求項２記載の電気コネクタ。
【請求項４】
前記嵌合保持部材が、断面円形状又は断面矩形状をなす棒状部材から形成されていることを特徴とする請求項３記載の電気コネクタ装置又は電気コネクタ。
【請求項５】
前記機械的固定手段が、前記嵌合保持部材を挟持するように対向配置されたカシメ固定片を有していることを特徴とする請求項３記載の電気コネクタ装置又は電気コネクタ。
【請求項６】
前記カバー接点部が、前記第２コネクタ又は相手コネクタの導電性シェルに対して、前記嵌合保持部材の押圧力で圧接される構成になされていることを特徴とする請求項１記載の電気コネクタ装置又は請求項２記載の電気コネクタ。
【請求項７】
前記導電性カバー部材が、前記嵌合保持部材の回動操作時に前記配線基板に近接又は接触するように延設された先端延長板と、その先端延長板から片持ち状に延在する弾性バネ部材と、を備えたものであって、
前記弾性バネ部材は、片持ち状に延在する部分の途中位置が折れ曲がって延出するように形成され、当該弾性バネ部材の延出方向の先端部分に前記カバー接点部が形成されていることを特徴とする請求項１記載の電気コネクタ装置又は請求項２記載の電気コネクタ。
【請求項８】
前記第２コネクタ又は相手コネクタの導電性シェルに、前記弾性バネ部材の接点部が接触するシェル接触片が形成されたものであって、
前記シェル接触片は、前記配線基板から立ち上がるように延出した後に前記配線基板に向かって折り返された形状をなすように形成されていることを特徴とする請求項７記載の電気コネクタ装置又は電気コネクタ。
【請求項９】
前記弾性バネ部材が、列状をなして複数配置されている一方、
前記シェル接触片は、前記弾性バネ部材の配列方向に沿って連続的に延在していることを特徴とする請求項８記載の電気コネクタ装置又は電気コネクタ。
【発明の詳細な説明】
【技術分野】
【０００１】
本発明は、嵌合状態を維持するように回動操作される嵌合保持部材に設けた導電性カバー部材によって配線基板との接続部位を覆うように構成された電気コネクタ及び電気コネクタ装置に関する。
【背景技術】
【０００２】
一般に各種電気機器等において、ＦＰＣ（フレキシブル・プリンテッド・サーキット）や、ＦＦＣ（フレキシブル・フラット・ケーブル）、或いは同軸ケーブル等からなる各種の信号伝送媒体を、電気コネクタ装置を用いて印刷配線基板に接続することが広く行われている。そのような電気コネクタ装置は、例えば印刷配線基板上に実装されるリセプタクルコネクタに対して、同軸ケーブル等の信号伝送媒体が連結されたプラグコネクタが挿入されるようにして両電気コネクタ同士が嵌合される構成になされているが、両電気コネクタ同士の嵌合時にあっては、例えばプラグコネクタに設けられた操作レバー状の嵌合保持部材を、リセプタクルコネクタ側に掛け渡すように回動操作することによって、両コネクタ同士の嵌合状態を保持する構成がしばしば採用されている。
【０００３】
一方、このような両コネクタ同士の嵌合状態を保持する嵌合保持部材（嵌合操作レバー）を備えた電気コネクタ装置においては、従来から、伝送信号に対する外部からの電磁波ノイズの影響を低減し、或いは外部に向かって放射される電磁波ノイズを低減するため、コネクタ本体部（絶縁ハウジング）の外表面やコンタクト部材の外方側を、薄板状金属部材からなる導電性シェルやシールドプレートで覆うことによって電磁遮蔽（シールド）を行う構成がしばしば採用されているが、さらに、例えば下記の特許文献２等においては、嵌合保持部材（操作レバー）に導電性カバー部材を設けることが行われている。
【０００４】
より具体的には、嵌合保持部材（嵌合操作レバー）が嵌合作用位置まで回動されたときに、相手コネクタ（リセプタクルコネクタ）の導電コンタクトと配線基板との接続部位を導電性カバー部材が覆う構成としたものであって、このような構成を採用すれば、導電コンタクトの配線基板への接続部位に対する電磁遮蔽（シールド）が、両コネクタの嵌合時に行われることとなり、製造工程の増大が防止されるとともに、嵌合保持部材を嵌合作用位置まで回動するまでは、導電コンタクトの配線基板接続部位における接続状態が良好に確認される。
【０００５】
ところが、特に近年における伝送信号の更なる高周波化等に伴い、上述した導電コンタクト（導電端子）の主体部分や、配線基板との接続部位に対する外部電磁波ノイズの影響をさらに低減させるとともに、当該配線基板に対する接続部位からの電磁波ノイズの外部放射を一層確実に防止することが要請されている。
【先行技術文献】
【特許文献】
【０００６】
【特許文献１】特開２００７−７３４２６号公報
【特許文献２】特開２０１１−２３８４１０号公報
【発明の開示】
【発明が解決しようとする課題】
【０００７】
そこで本発明は、簡易な構成で、配線基板との接続部位に関する電磁遮蔽を容易かつ確実に行うことができるようにした電気コネクタ及び電気コネクタ装置を提供することを目的とする。
【課題を解決するための手段】
【０００８】
上記目的を達成するため請求項１にかかる発明においては、信号伝送媒体の端末部が連結される第１コネクタと、配線基板に接続された実装状態で前記第１コネクタが嵌合される第２コネクタとを備え、前記第１及び第２の両コネクタの嵌合時に、前記第１コネクタに設けられた嵌合保持部材が、前記第２コネクタに設けられた導電性シェルを外方側から覆うように回動操作される構成になされたものであって、前記嵌合保持部材の回動操作により、前記第１及び第２の両コネクタ同士の嵌合状態が保持されるとともに、前記嵌合保持部材に設けられた導電性カバー部材が、前記第２コネクタにおける前記配線基板との接続部位を覆うように構成された電気コネクタ装置において、前記導電性カバー部材には、前記嵌合保持部材の回動操作時に、前記第２コネクタの導電性シェルに対して接触状態となるカバー接点部が設けられた構成が採用されている。
【０００９】
また、請求項２にかかる発明においては、信号伝送媒体の端末部が連結されるものであって、配線基板に接続された状態に実装される相手コネクタとの嵌合時に、当該相手コネクタに設けられた導電性シェルを嵌合保持部材が外方側から覆うように回動操作される構成になされたものであって、前記相手コネクタとの嵌合時に、嵌合保持部材が、前記相手コネクタに設けられた導電性シェルを外方側から覆うように回動操作されるように構成され、前記嵌合保持部材の回動操作によって、前記相手コネクタとの嵌合状態が保持されるとともに、前記嵌合保持部材に設けられた導電性カバー部材が、前記相手コネクタにおける前記配線基板との接続部位を覆うように構成された電気コネクタにおいて、前記導電性カバー部材には、前記嵌合保持部材の回動操作時に、前記相手コネクタの導電性シェルに対して接触状態となるカバー接点部が設けられた構成が採用されている。
【００１０】
このような構成を備えた請求項１又は請求項２にかかる発明によれば、両コネクタ同士の嵌合後に、嵌合保持部材とともに導電性カバー部材が回動操作されることによって、配線基板上に実装された一方の電気コネクタと配線基板との接続部位が導電性カバー部材により覆われることとなり、配線基板に対する接続部位の電磁遮蔽（シールド）が行われるとともに、導電性カバー部材に設けられたカバー接点部及び導電性シェルを通して導電性カバー部材が接地状態になされ、それによってグランド回路が形成されることから、一層良好な電磁遮蔽特性（シールド特性）が得られる。
【００１１】
このとき、請求項３にかかる発明のように、前記導電性カバー部材と前記嵌合保持部材とが、互いに別部材から構成されたものであって、前記導電性カバー部材が、前記嵌合保持部材に対して機械的固定手段を介して連結されていることが望ましい。
【００１２】
このような構成を備えた請求項３記載の発明によれば、導電性カバー部材を備えていない電気コネクタの嵌合保持部材に対しても、いわゆる後付けによって導電性カバー部材を取り付けることが可能となり、電気コネクタの汎用性が高められる。
【００１３】
また、請求項４にかかる発明のように、前記嵌合保持部材が、断面円形状又は断面矩形状をなす棒状部材から形成されていることが望ましい。
【００１４】
このような構成を備えた請求項４記載の発明によれば、電気コネクタを小型化・低背化した場合にあっても、嵌合保持部材の強度が十分に維持される。
【００１５】
また、請求項５にかかる発明のように、前記機械的固定手段が、前記嵌合保持部材を挟持するように対向配置されたカシメ固定片を有していることが望ましい。
【００１６】
このような構成を備えた請求項５記載の発明によれば、嵌合保持部材を挟持するように対向配置されたカシメ固定片によって導電性カバー部材が強固に固定されるため、電気コネクタを小型化・低背化しても導電性カバー部材の固定強度を十分に維持することが可能となる。
【００１７】
また、請求項６にかかる発明のように、前記カバー接点部が、前記第２コネクタ又は相手コネクタの導電性シェルに対して、前記嵌合保持部材の押圧力で圧接される構成になされていることが望ましい。
【００１８】
このような構成を備えた請求項６記載の発明によれば、電磁遮蔽を行う導電性カバー部材と導電性シェルとが圧接状態になされることによって電気的な接続状態が良好に維持されることとなり、グランド接続性の向上が図られる。
【００１９】
また、請求項７にかかる発明のように、前記導電性カバー部材が、前記嵌合保持部材の回動操作時に前記配線基板に近接又は接触するように延設された先端延長板と、その先端延長板から片持ち状に延在する弾性バネ部材とを備えたものであって、前記弾性バネ部材は、片持ち状に延在する部分の途中位置が折れ曲がって延出するように形成され、当該弾性バネ部材の延出方向の先端部分に前記カバー接点部が形成されていることが望ましい。
【００２０】
このような構成を備えた請求項７記載の発明によれば、電気コネクタを小型化・低背化した場合であっても、弾性バネ部材のスパン長が十分に確保されることから、弾性バネ部材の必要な弾性を良好に維持することが可能となる。
【００２１】
また、請求項８にかかる発明のように、前記第２コネクタ又は相手コネクタの導電性シェルに、前記弾性バネ部材の接点部が接触するシェル接触片が形成されたものであって、前記シェル接触片は、前記配線基板から立ち上がるように延出した後に前記配線基板に向かって折り返された形状をなすように形成されていることが望ましい。
【００２２】
このとき、請求項９にかかる発明のように、前記弾性バネ部材が、列状をなして複数配置されている一方、前記シェル接触片は、前記弾性バネ部材の配列方向に沿って連続的に延在していることが望ましい。
【００２３】
このような構成を備えた請求項８又は９記載の発明によれば、複数の弾性バネ部材が、シェル接触片に対して良好な接触関係になされることから、グランド回路の電気的な接続性が向上する。
【発明の効果】
【００２４】
以上のように本発明は、両コネクタ同士の嵌合状態を保持する嵌合保持部材に設けた導電性カバー部材に、嵌合保持部材の回動操作時に相手コネクタの導電性シェルに接触するカバー接点部を設け、嵌合保持部材とともに導電性カバー部材を回動操作させることによって、配線基板上に実装された一方の電気コネクタと配線基板との接続部位を導電性カバー部材により覆うことで、配線基板との接続部位に対する電磁遮蔽（シールド）を行うとともに、導電性カバー部材に設けたカバー接点部及び導電性シェルを通して導電性カバー部材を接地状態としてグランド回路を形成することで、一層良好な電磁遮蔽特性（シールド特性）を得るように構成したものであるから、簡易な構成で、配線基板との接続部位に関する電磁遮蔽を容易かつ確実に行うことができ、電気コネクタ及び電気コネクタ装置の信頼性を低廉かつ大幅に高めることができる。
【図面の簡単な説明】
【００２５】
【図１】本発明の実施形態にかかる電気コネクタ装置を構成している第１コネクタ（プラグコネクタ）と第２コネクタ（リセプタクルコネクタ）とを水平方向に対向配置した嵌合前の状態を表した外観斜視説明図である。
【図２】図１に示した電気コネクタ装置を構成している第１コネクタ（プラグコネクタ）と第２コネクタ（リセプタクルコネクタ）との嵌合後の状態を表した外観斜視説明図である。
【図３】図２の嵌合後の状態において「嵌合開放位置」に立ち上げられた嵌合保持部材を、略水平となる「嵌合作用位置」まで回動操作した状態における電気コネクタ装置を表した外観斜視説明図である。
【図４】図３に示した両コネクタ同士の嵌合状態にある電気コネクタ装置を表した平面説明図である。
【図５】図３及び図４に示した両コネクタ同士の嵌合状態にある電気コネクタ装置を表した正面説明図である。
【図６】図１〜図５に示された第１コネクタ（プラグコネクタ）の構造を表した分解斜視説明図である。
【図７】図１に示した嵌合前の電気コネクタ装置における同軸ケーブルの軸線を通る位置の横断面説明図である。
【図８】図１に示した嵌合前の電気コネクタ装置における同軸ケーブル間位置の横断面説明図である。
【図９】図３に示した嵌合後の電気コネクタ装置における同軸ケーブルの軸線を通る位置の横断面説明図である。
【図１０】図３に示した嵌合後の電気コネクタ装置における同軸ケーブル間位置の横断面説明図である。
【発明を実施するための形態】
【００２６】
以下、複数本の同軸ケーブルを印刷配線基板側に接続する電気コネクタ及び電気コネクタ装置に本発明を適用した場合の実施形態に関する説明を図面に基づいて詳細に行う。
【００２７】
［電気コネクタ装置の全体構造の概要］
まず、図１〜図１１に表された本発明の第１の実施形態にかかる電気コネクタ装置は、信号伝送媒体を構成する同軸ケーブルＳＣの端末部分が連結された第１コネクタとしてのプラグコネクタ１と、印刷配線基板Ｂ上に実装された第２コネクタ（相手コネクタ）としてのリセプタクルコネクタ２と、を備えた水平嵌合型の電気コネクタ装置であって、図１に示されているように、印刷配線基板Ｂ上に実装された嵌合の相手コネクタとしてのリセプタクルコネクタ２に対して、プラグコネクタ（第１コネクタ）１が略水平方向に対向するように配置された後に、印刷配線基板Ｂの表面に対して略平行な方向（印刷配線基板Ｂの延在方向）にプラグコネクタ１がリセプタクルコネクタ２側に近接するように水平に移動される。それによって、プラグコネクタ１の先端側部分が、リセプタクルコネクタ２の開口部を通して内部に差し込まれ、図２のように両電気コネクタ１，２同士が嵌合状態になされる。
【００２８】
このように本実施形態においては、相手コネクタとしてのリセプタクルコネクタ（第２コネクタ）２にプラグコネクタ（第１コネクタ）１を差し込む方向、及びその反対方向に抜き出す方向が、印刷配線基板Ｂの表面が延在する方向と略平行な方向となる構成になされているが、以下においては、印刷配線基板Ｂの表面の延在方向を「水平方向」とし、印刷配線基板Ｂの表面に対して垂直なる方向を「上下方向」とする。また、プラグコネクタ１においては、当該プラグコネクタ１をリセプタクルコネクタ２に差し込む方向を「前方向」とし、その反対方向に抜き出す方向を「後方向」とする。さらに、リセプタクルコネクタ２においては、当該リセプタクルコネクタ２から上記プラグコネクタ１を抜き出す方向を「前方向」とし、その反対方向を「後方向」とする。
【００２９】
このような電気コネクタ装置を構成しているプラグコネクタ（第１コネクタ）１、及びリセプタクルコネクタ（第２コネクタ）２の両電気コネクタは、細長状に形成された絶縁部材からなるコネクタ本体部としての絶縁ハウジング１１，２１（図７に示される）をそれぞれ備えている。それらの絶縁ハウジング（コネクタ本体部）１１，２１には、当該絶縁ハウジング１１，２１の長手方向（図７の紙面垂直方向）に沿って、コンタクト部材としての複数の導電コンタクト部材（導電端子）１２，２２が、適宜のピッチ間隔で多極状をなすように配列されている。
【００３０】
また、上述した両電気コネクタ１，２のうち、プラグコネクタ（第１コネクタ）１における後方側の端縁部（以下、後端縁部という。）には、コネクタ長手方向に沿って多極状に並列するように配列された複数本の同軸ケーブルＳＣの端末部分が連結されている。各同軸ケーブルＳＣの端末部分においては、特に図７〜図１０に示されているように、被覆材が皮剥きされることによってケーブル中心導体（信号線）ＳＣａ、及びケーブル外部導体（シールド線）ＳＣｂが同軸状をなすように露出されている。そして、当該同軸ケーブルＳＣの中心軸線に沿って延在するように配置されたケーブル中心導体ＳＣａが、信号伝送用の導電コンタクト部材（導電端子）１２，２２に接続されることによって信号回路が構成される。このケーブル中心導体ＳＣａに関する接続構造については後段において詳細に説明する。
【００３１】
また、上述したケーブル中心導体ＳＣａの外周側を同心状に取り囲むように配置されたケーブル外部導体ＳＣｂは、導電性のグランド部材を構成しているグランドバーＧＢの内部を貫通するように配置されている。本実施形態におけるグランドバーＧＢは、上述した同軸ケーブルＳＣの多極配列方向（コネクタ長手方向）に沿って長尺状に延在する細長ブロック状部材から形成されており、当該グランドバーＧＢが、同軸ケーブルＳＣのケーブル外部導体（シールド線）ＳＣｂに対して、半田付けやカシメや圧接等により一括的に接続されている。このようにして設けられたグランドバーＧＢは、後述する導電性シェル等を介して印刷配線基板Ｂに形成されたグランド回路に接続される。
【００３２】
［絶縁ハウジング及び導電コンタクト部材］
ここで、上述したプラグコネクタ（第１コネクタ）１、及びリセプタクルコネクタ（第２コネクタ）２の両電気コネクタは、前述したように導電コンタクト部材（導電端子）１２，２２の多極配列方向（コネクタ長手方向）に沿って細長状に延在する細長状の絶縁ハウジング（コネクタ本体部）１１，２１をそれぞれ備えているが、これらの絶縁ハウジング１１，２１に取り付けられた導電コンタクト部材１２，２２は、多極配列方向（コネクタ長手方向）に沿って同一形状のものが一定の間隔をなして配列されている。
【００３３】
一方、プラグコネクタ１側に設けられた絶縁ハウジング１１は、上述したようにコネクタ長手方向（多極配列方向）に延在する樹脂等の絶縁性部材から形成されているが、当該プラグコネクタ１の内部側に配置されたコネクタ本体部としての本体支持部１１ａと、その本体支持部１１ａからコネクタ前方側に向かって延出するように設けられた嵌合突部１１ｂとを一体的に備えた構成になされている。そして、その絶縁ハウジング１１の本体支持部１１ａから嵌合突部１１ｂにかけての下面側の部位には、上述したグランドバーＧＢに接触するグランドコンタクトＧＣがインサート成形又は圧入により埋設されている。このグランドコンタクトＧＣは、本体支持部１１ａから嵌合突部１１ｂにかけて下面側表面に露出した状態に配置されており、両電気コネクタ１，２同士の嵌合時において、後述する第２コネクタ（相手コネクタ）の第２シールドシェル部材２３の内面側に接触される配置関係になされている。
【００３４】
さらに、上述した絶縁ハウジング１１の本体支持部１１ａから嵌合突部１１ｂにかけての上面側の部位には、導電コンタクト部材（第１コンタクト部材）１２がインサート成形又は圧入により埋設されている。この導電コンタクト部材１２は、絶縁ハウジング１１の上側表面から上方に露出するようにして略水平に延在する状態に配置されている。
【００３５】
このようなプラグコネクタ（第１コネクタ）１に設けられた導電コンタクト部材（第１コンタクト部材）１２の後端部分には、同軸ケーブルＳＣにおけるケーブル中心導体（信号線）ＳＣａの端末部分が、上方側から当接された状態で半田接続されている。このときのケーブル中心導体ＳＣａと導電コンタクト部材１２との半田接合は、多極配列方向の複数箇所に対して一括的に行うことが可能であるが、そのような一括半田接合によって、プラグコネクタ１の導電コンタクト部材１２に対して複数本の同軸ケーブルＳＣが効率的に連結される。
【００３６】
一方、前述したように絶縁ハウジング（コネクタ本体部）１１の前端側に設けられた嵌合突部１１ｂの上側表面には、上述した導電コンタクト部材（第１コンタクト部材）１２の前方側部分を構成している端子電極部１２ａが、多極状の露出電極を形成するように配置されている。そして、この導電コンタクト部材１２の前方側延在部分を構成している端子電極部１２ａは、前述したようにプラグコネクタ（第１コネクタ）１がリセプタクルコネクタ（第２コネクタ）２に嵌合されたときに、リセプタクルコネクタ２に設けられた導電コンタクト部材（第２コンタクト部材）２２に対して下方側から当接し、それによって信号伝送回路が構成される。なお、これらの複数の導電コンタクト部材１２，２２の内、一部をグランド接続用として構成することも可能である。
【００３７】
また、絶縁ハウジング（コネクタ本体部）１１の前端側に設けられた嵌合突部１１ｂの下側表面には、上述したグランドコンタクトＧＣの前方側部分が、多極状の露出電極を形成するように配置されている。そして、このグランドコンタクトＧＣにおける前方側延在部分は、前述したようにプラグコネクタ（第１コネクタ）１がリセプタクルコネクタ（第２コネクタ）２に嵌合されたときに、リセプタクルコネクタ（第２コネクタ）２に装着された第２シールドシェル部材２３の底板の内面に対して上方側から当接し、それによってグランド接地回路が構成されるようになっている。
【００３８】
さらに、リセプタクルコネクタ（第２コネクタ）２側の絶縁ハウジング（コネクタ本体部）２１に取り付けられた導電コンタクト部材（第２コンタクト部材）２２は、上述したプラグコネクタ（第１コネクタ）１側の導電コンタクト部材（第１コンタクト部材）１２に対応した位置に、コネクタ長手方向に多極状をなすように配列されている。そのリセプタクルコネクタ（第２コネクタ）２に取り付けられた導電コンタクト部材（第２コンタクト部材）２２は、両電気コネクタ１，２同士の嵌合時に、プラグコネクタ１側の導電コンタクト部材１２に対して上方側から弾性的に接触する構成になされている。
【００３９】
また、このリセプタクルコネクタ（第２コネクタ）２の導電コンタクト部材（第２コンタクト部材）２２の後端部分（図７〜図１０の右端側部分）は、前述した印刷配線基板Ｂの表面上に沿って延在するように形成された基板接続脚部２２ａを有している。その基板接続脚部２２ａは、実際の使用時（実装時）において、前述した印刷配線基板Ｂ上の信号導電路又はグランド接続用の導電路に載置されてから、例えば一括的な半田接合が行われる。
【００４０】
本実施形態における導電コンタクト部材（第２コンタクト部材）２２の本体部分は、上述したコネクタ後端側に配置された基板接続脚部２２ａから上方に向かって立ち上がるように折り曲げ成形されており、その立ち上がり部位における上端部分から前方側（図７〜図１０の左方側）に向かって片持ち状に延在する構成になされている。そして、当該導電コンタクト部材２２におけるコネクタ前方側の先端部分には、下方側に向かって山形状に張り出す接点凸部２２ｂがそれぞれ設けられている。この導電コンタクト部材２２に設けられた接点凸部２２ｂの下方頂部は、前述したようにプラグコネクタ（第１コネクタ）１がリセプタクルコネクタ（第２コネクタ）２に嵌合されたときに、プラグコネクタ１側の導電コンタクト部材（第１コンタクト部材）１２の端子電極部１２ａに対して、上方側から弾性的に接触される構成になされている。そして、このような弾性的な接触関係によって、上述した両接点部１２ａ，２２ｂ同士の電気的な接続が行われる。
【００４１】
［導電性シェル（シールドシェル部材）について］
一方、プラグコネクタ（第１コネクタ）１及びリセプタクルコネクタ（第２コネクタ）２に設けられた各絶縁ハウジング（コネクタ本体部）１１，２１の外表面は、図２に示されているように、薄板状金属部材を適宜の形状に折曲形成した導電性の第１及び第２のシールドシェル部材（導電性シェル）１３及び２３によりそれぞれ覆われている。これら第１及び第２のシールドシェル部材１３，２３は、各電気コネクタ１，２の内部に形成される信号伝送回路及びグランド回路を覆うことによって電磁遮蔽性（シールド性）を持たせる部材として装着されたものであるが、グランド回路の一部を構成する部材でもある。
【００４２】
このとき、プラグコネクタ（第１コネクタ）１側に設けられた第１のシールドシェル部材１３は、絶縁ハウジング（コネクタ本体部）１１を上下から挟む一対のシェル片の嵌合体から構成されている。これらの両シェル片部材は、薄板状金属部材の折り曲げ構造体から形成されており、まず絶縁ハウジング（コネクタ本体部）１１に対して同軸ケーブルＳＣの端末部分が載置されるようにしてセットされ、その同軸ケーブルＳＣの外部導体ＳＣｂに対してグランドバー（グランド部材）ＧＢが半田接合された後に、上述した第１のシールドシェル部材１３の上半側部分及び下半側部分の両シェル片部材が、絶縁ハウジング（コネクタ本体部）１１に対して上方側及び下方側から被せるようにして装着される。
【００４３】
このような第１シールドシェル部材１３の上半側のシェル片部材には、多極配列方向であるコネクタ長手方向に沿って複数体のグランド接続舌片１３ａが、切り欠き加工により形成されている。それらの各グランド接続舌片１３ａは、コネクタ内方側の空間に向かって斜め方向に突出する片持ちの板バネ状をなすように切り起こされており、前述したグランドバーＧＢの上面側に対して弾性的に接触又は半田接合されている。
【００４４】
［リセプタクルコネクタの導電性シェル（シールドシェル部材）］
一方、相手コネクタであるリセプタクルコネクタ（第２コネクタ）２における第２のシールドシェル部材２３も、絶縁ハウジング（コネクタ本体部）２１に対して上下から挟む一対のシェル片の嵌合体から構成されている。これらの両シェル片部材は、薄板状金属部材の折り曲げ構造体から形成されているが、上半側のシェル片部材におけるコネクタ長手方向の両端部分には、図１に示されるように同方向の両側外方から絶縁ハウジング２１を挟むようにしてホールドダウン２３ａが、印刷配線基板Ｂの表面から立ち上がるように配置されている。
【００４５】
これらの各ホールドダウン２３ａは、第２シールドシェル部材２３の側壁板を形成するように、コネクタ長手方向の片側部分において一対ずつ設けられており、それらの各ホールドダウン２３ａの下端縁部が、印刷配線基板Ｂ上に形成されたグランド接続用の導電路に対して半田接合され、それによってグランド回路の電気的な接続が行われるとともに、リセプタクルコネクタ２の全体が強固に固定されるようになっている。
【００４６】
また、上述したようにコネクタ長手方向の両端部分に側壁板をなすように配置された両ホールドダウン２３ａ，２３ａ同士は、絶縁ハウジング２１の上側表面に沿って平面状の天井板をなすように延在する上側シェル板２３ｂによって一体的に連結されている。このコネクタ長手方向に延在している上側シェル板２３ｂの前端縁部分は、同じくコネクタ長手方向に延在している下半側のシェル片部材の前端縁部分との間に、横長状の嵌合開口部を形成しており、当該嵌合開口部を通して、前述したプラグコネクタ（第１コネクタ）１の嵌合突部１１ｂが、リセプタクルコネクタ（第２コネクタ）２の内部に挿入されるようになっている。
【００４７】
さらに、このリセプタクルコネクタ（第２コネクタ）２に設けられた第の２シールドシェル部材２３におけるコネクタ後端側の部分には、コネクタ長手方向に延在する固定シールドプレート２３ｃが、印刷配線基板Ｂの表面から立ち上がる背面板を形成するように設けられている。この固定シールドプレート２３ｃは、上述した多極配列方向であるコネクタ長手方向に延在する帯板状部材から形成されているが、当該固定シールドプレート２３ｃが印刷配線基板Ｂの表面から立ち上がった上端縁部分は、印刷配線基板Ｂに向かって下方側に折り返されてシェル接触片２３ｇになされている。そして、この固定シールドプレート２３ｃの上端縁部分における下方折り返し部位をなすように折り曲げ形成されたシェル接触片２３ｇには、後述する導電性カバー部材１５に設けられたカバー接点部が接触される配置関係になされている。
【００４８】
ここで、上述した第２シールドシェル部材２３の天板状をなすように配置されている上側シェル板２３ｂには、導電コンタクト部材（第２コンタクト部材）２２の後端部分の上方に位置する部分にシェル開口部２３ｄが形成されている。このシェル開口部２３ｄは、上側シェル板２３ｂの後方側領域を切り欠くように形成されており、より具体的には、導電コンタクト部材２２の後端部分である基板接続脚部２２ａ及びその近傍部分（上方立ち上がり部分）の上方に位置する領域に、コネクタ長手方向に沿って細長状に延在するように形成されている。そして、そのシェル開口部２３ｄが、導電コンタクト部材２２の多極配列の全幅にわたる開口長さを有していることによって、基板接続脚部２２ａを含む導電コンタクト部材（第２コンタクト部材）２２及び絶縁ハウジング１１の後端部分が、印刷配線基板Ｂの表面に対して垂直上方側から当該シェル開口部２３ｄを通して目視可能になされている。
【００４９】
一方、上述したようにシェル開口部２３ｄは、上側シェル板２３ｂの後方側領域を切り欠くように形成されているが、当該シェル開口部２３ｄにおけるコネクタ後端側の端縁部は、背面板をなすように配置された固定シールドプレート２３ｃにより形成されている。すなわち、その固定シールドプレート２３ｃは、導電コンタクト部材（第２コンタクト部材）２２の基板接続脚部２２ａの後方側領域において、印刷配線基板Ｂの表面から立ち上がるように配置される薄板状金属部材から形成されており、当該固定シールドプレート２３ｃの上端縁部を形成するようにコネクタ長手方向に延在しているシェル接触片２３ｇが、上述したシェル開口部２３ｄの後端縁部を形成している。
【００５０】
ここで、第２シールドシェル部材２３の背面板を形成している固定シールドプレート２３ｃは、導電コンタクト部材（第２コンタクト部材）２２の基板接続脚部２２ａに対してコネクタ後方側から近接した領域に配置されている。前述したように当該固定シールドプレート２３ｃは、印刷配線基板Ｂの表面から上方に立ち上がるように配置されているが、導電コンタクト部材２２の基板接続脚部２２ａに対して、コネクタ後方側から水平方向に対面する配置関係になされていることによって、印刷配線基板Ｂの表面に平行な水平方向における電磁遮蔽（シールド）が行われるようになっている。
【００５１】
また、その固定シールドプレート２３ｃの下端縁部分には、印刷配線基板Ｂの表面上に形成されたグランド用導電路Ｂ１に接触する複数（１０体）のグランド接続部２３ｅ，２３ｅ，・・・が、コネクタ後方側に向かって略直角に折れ曲がって突出するように形成されている。これらの各グランド接続部２３ｅは、固定シールドプレート２３ｃの下端縁部分を切り起こすようにして形成されており、コネクタ長手方向において略等間隔で配置されている。
【００５２】
一方、それらの各グランド接続部２３ｅに対応して、印刷配線基板Ｂの表面上には、複数（１０体）のグランド用導電路Ｂ１，Ｂ１，・・・が、コネクタ長手方向に略等間隔で並列するように形成されている。当該各グランド用導電路Ｂ１は、前述したリセプタクルコネクタ（第２コネクタ）２に設けられた導電コンタクト部材（第２コンタクト部材）２２の基板接続脚部２２ａに対して、コネクタ後方側に近傍した領域に形成されており、上述した固定シールドプレート２３ｃのグランド接続部２３ｅに対応した位置に配置されている。このように固定シールドプレート２３ｃに設けられた各グランド接続部２３ｅは、印刷配線基板Ｂ側に設けられた各グランド用導電路Ｂ１上に載置された状態で、例えば一括的に半田接続される。
【００５３】
そして、上述したようにグランド接続部２３ｅを介して固定シールドプレート２３ｃがグランド用導電路Ｂ１に接続された状態にあっては、当該固定シールドプレート２３ｃにより電磁遮蔽（シールド）が行われる位置の近傍においてグランド回路が形成されることとなる。また、このような固定シールドプレート２３ｃには、後述するプラグコネクタ（第１コネクタ）１側の嵌合保持部材（嵌合操作レバー）１４に設けられた導電性カバー部材１５が接触する構成になされている。
【００５４】
［嵌合保持部材］
すなわち、前述したようにプラグコネクタ（第１コネクタ）１が、嵌合相手コネクタとしてのリセプタクルコネクタ（第２コネクタ）２に嵌合されたときの両電気コネクタ１，２同士の嵌合状態は、プラグコネクタ１に設けられた嵌合保持部材（嵌合操作レバー）１４の保持力によって保持されるようになっている。なお、リセプタクルコネクタ２に嵌合したプラグコネクタ１を、リセプタクルコネクタ２から抜去する際においては、嵌合保持部材１４を開放させる操作が行われることによって両電気コネクタ１，２同士が抜去可能な状態になされる。
【００５５】
より具体的には、図６に示されるようにその嵌合保持部材（嵌合操作レバー）１４は、上述したプラグコネクタ（第１コネクタ）１の第１シールドシェル部材１３に回動可能に取り付けられており、当該嵌合保持部材１４のコネクタ長手方向両端部分に設けられた回動軸部１４ａ，１４ａが、第１シールドシェル部材１３の後端部分のコネクタ長手方向両端部分に設けられた軸受け部１３ｄ，１３ｄに遊嵌状態で回動可能に挿入されている。
【００５６】
この嵌合保持部材（嵌合操作レバー）１４に設けられた一対の回動軸部１４ａ，１４ａは、横断面形状が略円形をなしてコネクタ長手方向に延在するように形成されたものであるが、延在方向の途中部分に径方向の段差部分（軸ズレ部分）を有している。そして、その回動軸部１４ａの段差部分に対して、前記軸受け部１３ｄに設けられたバネ規制部材１３ｅの付勢力が付与されるように構成されており、そのバネ規制部材１３ｅから回動軸部１４ａの段差部分（軸ズレ部分）に付与される付勢力によって、後述する「非シールド位置（嵌合開放位置）」及び「シールド位置（嵌合作用位置）」に回動軸部１４ａが保持される構成になされている。
【００５７】
また、この嵌合保持部材（嵌合操作レバー）１４の回動軸部１４ａにおけるコネクタ長手方向両側の外端部分からは、一対の連結腕部１４ｂ，１４ｂが、回動半径の外側に向かって折れ曲がるように延出している。それらの連結腕部１４ｂ，１４ｂは、上述した回動軸部１４ａ，１４ａから折れ曲がるように延出した直後の部位からコネクタ中心側に向かって互いに近付くように斜めに延び、その後に嵌合保持部材１４の回動半径に沿うように延在している。さらに、それらの連結腕部１４ｂ，１４ｂの回動半径外端部分には、当該連結腕部１４ｂ，１４ｂの回動側の先端部分同士を一体的に連結する回動操作部１４ｃが、コネクタ長手方向に沿って長尺状に延在している。
【００５８】
そして、その回動操作部１４ｃの一部を、組立て作業者が把持しながら適宜の回動力を付与することによって、嵌合保持部材（嵌合操作レバー）１４の全体が、図２に示された「非シールド位置（嵌合開放位置）」と、図３〜図５に示された「シールド位置（嵌合作用位置）」との間で回動される構成になされている。両コネクタ１，２同士の嵌合完了後に、保持部材１４が「シールド位置（嵌合作用位置）」まで回動操作されることで両コネクタ１，２同士の嵌合状態が維持される。
【００５９】
さらに、前述したようにリセプタクルコネクタ（第２コネクタ）２の第２シールドシェル部材２３に設けられた各ホールドダウン２３ａには、図１、２に示されるように上述した「シールド位置（嵌合作用位置）」に回動された嵌合保持部材（嵌合操作レバー）１４の連結腕部１４ｂが嵌合されるロック部２３ｆがそれぞれ設けられている。これらの各ロック部２３ｆは、コネクタ長手方向の外方に向かって張り出す弾性バネ部材から形成されており、両電気コネクタ１，２同士の嵌合後に、嵌合保持部材１４が「シールド位置（嵌合作用位置）」の近傍まで回動されてくると、嵌合保持部材１４に設けられた連結腕部１４ｂが、上述したリセプタクルコネクタ２側のロック部２３ｆの外方張り出し部を乗り越えた後に、コネクタ内方側に向かって弾性変位するように移動してロック部２３ｆの下方側に落ち込むことで両者が係合状態となり、それによって嵌合保持部材１４の全体が、「シールド位置（嵌合作用位置）」に弾性的に保持される。
【００６０】
このように、プラグコネクタ（第１コネクタ）１が、リセプタクルコネクタ（第２コネクタ）２に嵌合された状態で、嵌合保持部材（嵌合操作レバー）１４を「非シールド位置（嵌合開放位置）」から「シールド位置（嵌合作用位置）」まで回動させておくことで、両電気コネクタ１，２同士が、一定範囲内の外力によっては分離することなく嵌合状態に保持されることとなる。
【００６１】
また、上述した嵌合保持部材（嵌合操作レバー）１４には、当該嵌合保持部材１４とは別個の導電性薄板状部材からなる導電性カバー部材１５が取り付けられている。この導電性カバー部材１５は、前述したリセプタクルコネクタ（第２コネクタ）２の第２シールドシェル部材２３を覆うように折り曲げ形成された蓋状体から構成されており、主たる構成部分として、第２シールドシェル部材２３に対して上方側から重なり合うように配置される上面側シールドカバー１５ａを備えている。この上面側シールドカバー１５ａは、当該上面側シールドカバー１５ａの外周縁部に機械的固定手段をなすように付設された側部固定板１５ｂ及び前部固定板１５ｃを一体的に備えており、それらの側部固定板１５ｂ及び前部固定板１５ｃを介在することによって、上述した嵌合保持部材１４に対する取付けが行われている。
【００６２】
この導電性カバー部材１５の主体部分を構成している上面側シールドカバー１５ａは、前述した嵌合保持部材（嵌合操作レバー）１４が「嵌合作用位置」に回動された際における天井板を形成するものであって、当該上面側シールドカバー１５ａによって、リセプタクルコネクタ（第２コネクタ）２側の第２シールドシェル部材２３に設けられた上側シェル板２３ｂ、シェル開口部２３ｄ、及び導電コンタクト部材（第２コンタクト部材）２２の後端部分における上方側部分が覆われるようになっている。このように導電コンタクト部材２２の基板接続脚部２２ａを含む後端部分に対して、導電性カバー部材１５の上面側シールドカバー１５ａが上方側から重なり合うように対面する配置関係になされていることで、印刷配線基板Ｂの表面に垂直な上下方向における電磁遮蔽（シールド）が行われることとなる。
【００６３】
また、導電性カバー部材１５の側部固定板１５ｂは、上述した上面側シールドカバー１５ａにおけるコネクタ長手方向の両側端縁部から、コネクタ長手方向の外方側に向かって突出するように設けられており、嵌合保持部材（嵌合操作レバー）１４の連結腕部１４ｂを構成している丸棒状部材の外周側に巻き付けられるように略直角に折り曲げられることによって、嵌合保持部材１４の連結腕部１４ｂに対してカシメ固定されている。
【００６４】
さらに、導電性カバー部材１５の前部固定板１５ｃは、上述した上面側シールドカバー１５ａの回動半径外端縁におけるコネクタ長手方向の両側部分から回動半径の外方側に向かって突出するように連設されており、前述した嵌合保持部材（嵌合操作レバー）１４の回動操作部１４ｃを構成している丸棒状部材の外周側に巻き付けられるように略直角に折り曲げられることによって、嵌合保持部材１４の回動操作部１４ｃに対してカシメ固定されている。
【００６５】
このように、導電性カバー部材１５の上面側シールドカバー１５ａの外周縁部に、機械的固定手段をなすように設けられた側部固定板１５ｂ及び前部固定板１５ｃは、嵌合保持部材（嵌合操作レバー）１４を径方向に挟持するように対向配置されたカシメ固定片から形成されている。すなわち、嵌合保持部材１４とは別部品をなすように形成された導電性カバー部材１５が、機械的固定手段としての側部固定板１５ｂ及び前部固定板１５ｃを介在して嵌合保持部材１４に取り付けられていることで、いわゆる後付によって導電性カバー部材１５が容易かつ強固に固定される構成になされている。
【００６６】
一方、上述した上面側シールドカバー１５ａにおける回動半径外方側の端縁部には、嵌合保持部材（嵌合操作レバー）１４の回動操作部１４ｃに沿うようにして延在する帯板状部材からなる背面側シールドカバー１５ｄが一体的に連設されている。この背面側シールドカバー１５ｄは、上面側シールドカバー１５ａの回動半径外端縁部から略直角に折れ曲がる階段状をなすように延出している。そして、図１０に示されるように嵌合保持部材１４が「シールド位置（嵌合作用位置）」に回動された際に、上面側シールドカバー１５ａの後端縁部から背面側シールドカバー１５ｄが下方に向かって延出する配置関係になされることで、リセプタクルコネクタ（第２コネクタ）２側の第２シールドシェル部材２３に設けられた固定シールドプレート２３ｄに対して、背面側シールドカバー１５ｄがコネクタ後方側から重なり合うようになっている。
【００６７】
このとき、上述した背面側シールドカバー１５ｄにおける先端側の端縁、すなわち嵌合保持部材１４が「シールド位置（嵌合作用位置）」に回動された際における下端側の縁部には、嵌合保持部材（嵌合操作レバー）１４の回動半径外方側に向かって略直角に折れ曲がって階段状に延出する先端延長板１５ｅが一体的に連接されるようにして延設されている。この先端延長板１５ｅは、嵌合保持部材１４の回動操作部１４ｃに沿って帯状に延在する平板状部材から形成されており、上述したように嵌合保持部材１４が「シールド位置（嵌合作用位置）」に回動された際に、印刷配線基板Ｂの表面に対して略平行状態となって近接又は接触する配置関係になされている。
【００６８】
このように背面側シールドカバー１５ｄに連設された先端延長板１５ｅには、コネクタ長手方向において所定の間隔をなすように配列された複数の逃がし穴１５ｆが貫通形成されている。それらの各逃がし穴１５ｆは、上述したように印刷配線基板Ｂに設けられたグランド接続用の導電路Ｂ１に対面する位置に配置された平面矩形状の透孔から形成されており、先端延長板１５ｅから背面側シールドカバー１５ｄの一部にかけての部位に形成されている。そして、前述したように嵌合保持部材（嵌合操作レバー）１４が「シールド位置（嵌合作用位置）」に回動されることによって、背面側シールドカバー１５ｄの先端延長板１５ｅが印刷配線基板Ｂに近接又は接触した際に、当該先端延長板１５ｅに設けられた逃がし穴１５ｆが、グランド接続用の導電路Ｂ１に対面するように配置され、それによって上背面側シールドカバー１５ｄが、特に図１０に示されているように、グランド接続用の導電路Ｂ１及びそのグランド接続用の導電路Ｂ１に半田接続されるグランド接続部２３ｅに対して直接的に接触することのないように構成されている。
【００６９】
また、上述したように複数設けられた逃がし穴１５ｆ同士がコネクタ長手方向に隣り合う部分には、カバー接点部を構成する弾性バネ部材１５ｇが切り起こすようにして形成されている。そのカバー接点部としての弾性バネ部材１５ｇは、コネクタ長手方向に所定の間隔をなして複数配列されており、上述した先端延長板１５ｅから背面側シールドカバー１５ｄの一部にかけて片持ち状をなすように延出している。これらの各弾性バネ部材（カバー接点部）１５ｇは、片持ち状延出方向の途中部分において略「く」の字状をなすように折り曲げられている。より具体的には、当該弾性バネ部材１５ｇの根本側基端部分である先端延長板１５ｅに形成された部位が、嵌合保持部材（嵌合操作レバー）１４の回動半径方向に延在しているとともに、その延在部分の途中位置から折れ曲がって延びており、この弾性バネ部材１５ｇの先端側部分、すなわち背面側シールドカバー１５ｄに形成されている部位が、背面側シールドカバー１５ｄに沿って延出する構成になされている。
【００７０】
このようにして導電性カバー部材１５に設けられた複数の弾性バネ部材（カバー接点部）１５ｇは、嵌合保持部材１４が「シールド位置（嵌合作用位置）」に回動された際に、コネクタ前方側の斜め上方に向かって延出する配置関係になされており、前述した第２シールドシェル部材２３の固定シールドプレート２３ｃの上端縁部分に設けられたシェル接触片２３ｄに対して、当該導電性カバー部材１５の弾性バネ部材（カバー接点部）１５ｇが、コネクタ後方側から弾性的に接触して電気的な接続状態になされるように構成されている。このように、プラグコネクタ（第１コネクタ）１の導電性カバー部材１５に設けられた弾性バネ部材１５ｇが、リセプタクルコネクタ（第２コネクタ）２の第２シールドシェル部材２３に対して、カバー接点部として電気的な接触状態になされることで、シールド用のグランド回路が良好に形成されることとなる。
【００７１】
以上の通り、本実施形態においては、リセプタクルコネクタ（第２コネクタ）２に取り付けられた導電コンタクト部材（第２コンタクト部材）２２の後端側を除く部分が、第２シールドシェル部材２３の上側シェル板２３ｂ、ホールドダウン２３ａ，２３ａ及び固定シールドプレート２３ｃによって、元々覆われた状態になされている。さらに、プラグコネクタ（第１コネクタ）１が、相手コネクタとしてのリセプタクルコネクタ（第２コネクタ）２に嵌合された後に、嵌合保持部材（嵌合操作レバー）１４が「非シールド位置（嵌合開放位置）」から「シールド位置（嵌合作用位置）」まで回動された際においては、嵌合保持部材１４に設けられた導電性カバー部材１５が、導電コンタクト部材（第２コンタクト部材）２２の後端側部分を覆うこととなり、それによって導電コンタクト部材２２に対する電磁遮蔽（シールド）が良好に行われる。
【００７２】
なお、両電気コネクタ１，２同士の嵌合時においては、導電コンタクト部材（第１コンタクト部材）１２の端子電極部１２ａと、導電コンタクト部材（第２コンタクト部材）２２の接点凸部２２ｂとが接続状態になされるが、当該接続部位に関しては、上述したリセプタクルコネクタ（第２コネクタ）２側の第２シールドシェル部材２３及びプラグコネクタ（第１コネクタ）１側の導電性カバー部材１５が外方側から覆う構成になされている。
【００７３】
このような構成を備えた本実施形態によれば、まずリセプタクルコネクタ（第２コネクタ）２が印刷配線基板Ｂ上に実装された状態において、当該リセプタクルコネクタ２の第２シールドシェル部材２３に設けられた固定シールドプレート２３ｃが、導電コンタクト部材（第２コンタクト部材）２２の基板接続脚部２２ａをコネクタ後方側から覆って対向状態になされる。そして、そのようなリセプタクルコネクタ２の実装状態から、プラグコネクタ（第１コネクタ）１が嵌合され、その後に嵌合保持部材（嵌合操作レバー）１４が「非シールド位置（嵌合開放位置）」から「シールド位置（嵌合作用位置）」まで回動操作される。それによって、プラグコネクタ（第１コネクタ）１側の嵌合保持部材１４に設けられた導電性カバー部材１５が、リセプタクルコネクタ（第２コネクタ）２側のシェル開口部２３ｄを覆い、その結果、導電コンタクト部材２２の基板接続脚部２２ａが、印刷配線基板Ｂの垂直上方側からも導電性カバー部材１５により覆われることとなって、印刷配線基板Ｂと導電コンタクト部材２２との接続部位に対する電磁遮蔽（シールド）が良好に行われる。
【００７４】
このとき、本実施形態においては、導電コンタクト部材（第２コンタクト部材）２２の基板接続脚部２２ａの近傍に配置されたグランド接続用の導電路Ｂ１に対して、固定シールドプレート２３ｃがグランド接続部２３ｅを介して接続されることによって、電磁遮蔽（シールド）を行う部位の近傍位置でのグランド接続が行われることとなり、良好な電磁遮蔽の特性が得られる。
【００７５】
さらに、本実施形態においては、嵌合保持部材（嵌合操作レバー）１４に設けられた導電性カバー部材１５が、シェル開口部２３ｄを覆う「シールド位置（嵌合作用位置）」に向かって回動操作を行うまでの間、印刷配線基板Ｂと導電コンタクト部材２２との接続部位がシェル開口部２３ｄを通して外方に露出されていることから、当該接続部位における接続状態が、上方から例えば目視によって良好に確認される。
【００７６】
さらにまた、両電気コネクタ１，２同士の嵌合後に、嵌合保持部材（嵌合操作レバー）１４が、「非シールド位置（嵌合開放位置）」から「シールド位置（嵌合作用位置）」まで回動操作されることによって、当該両電気コネクタ１，２同士の嵌合状態が良好に保持されることとなるが、それと同時に、当該嵌合保持部材１４の把持力によって、電磁遮蔽を行う導電性カバー部材１５と第２シールドシェル部材２３とが圧接状態になされて電気的な接続状態が良好に維持されることから、電磁遮蔽（シールド）を行うためのグランド接続が確実かつ強固に行われ、電磁遮蔽（シールド）特性が一層向上される。
【００７７】
加えて、本実施形態においては、嵌合保持部材（嵌合操作レバー）１４が「非シールド位置（嵌合開放位置）」から「シールド位置（嵌合作用位置）」まで回動操作された際に、プラグコネクタ（第１コネクタ）１の導電性カバー部材１５が、当該導電性カバー部材１５に設けられた弾性バネ部材（カバー接点部）１５ｇを介して、リセプタクルコネクタ（第２コネクタ）２の固定シールドプレート２３ｃに良好に接触されることから、電磁遮蔽（シールド）特性が更に向上されるようになっている。
【００７８】
さらにまた、本実施形態においては、嵌合保持部材（嵌合操作レバー）１４が、断面円形状をなすように形成されていることによって、電気コネクタを小型化・低背化した場合にあっても、嵌合保持部材１４の強度が十分に維持されることとなるが、同様な効果を奏する実施形態として、断面矩形状をなす棒状部材によって嵌合保持部材を形成することとしても良い。
【００７９】
ここで、その嵌合保持部材（嵌合操作レバー）１４に対しては、当該嵌合保持部材１４を「シールド位置（嵌合作用位置）」に保持するロック部２３ｆをリセプタクルコネクタ（第２コネクタ）２に設けていることから、両電気コネクタ１，２同士の嵌合状態がロック部２３ｆにより良好に保持される。
【００８０】
一方、本実施形態においては、導電性カバー部材１５に片持ち状に延在するように形成された弾性バネ部材（弾性バネ部材）１５ｇを、延在の途中位置で折れ曲がって延出させるとともに、その弾性バネ部材１５ｇに設けた接点部を、第２シールドシェル部材２３の固定シールドプレート２３ｃに対して弾性的に接触させるように構成していることから、電気コネクタを小型化・低背化した場合であっても、弾性バネ部材１５ｇのスパン長が十分に確保されることとなり、弾性バネ部材１５ｇの必要な弾性を維持することが可能となる。
【００８１】
このとき、弾性バネ部材（弾性バネ部材）１５ｇが接触する相手部材としての第２シールドシェル部材２３の固定シールドプレート２３ｃには、当該固定シールドプレート２３ｃの折り返し部分からなるシェル接触片２３ｇが設けられていることから、弾性バネ部材１５ｇが、シェル接触片２３ｇに対して良好な接触関係になされ、それによってグランド回路の電気的な接続性が向上されるようになっている。
【００８２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００８３】
例えば、本発明は、上述した実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００８４】
以上のように本実施形態は、各種電気機器に使用される多種多様な電気コネクタに対して広く適用することが可能である。
【符号の説明】
【００８５】
１  プラグコネクタ（第１コネクタ）
１１  絶縁ハウジング（コネクタ本体部）
１１ａ  本体支持部
１１ｂ  嵌合突部
１２  導電コンタクト部材（第１コンタクト部材）
１２ａ  端子電極部
１３  第１シールドシェル部材（導電性シェル）
１３ａ  グランド接続舌片
１３ｄ  軸受け部
１３ｅ  バネ規制部材
１４  嵌合保持部材（嵌合操作レバー）
１４ａ  回動軸部
１４ｂ  連結腕部
１４ｃ  回動操作部
１５  導電性カバー部材
１５ａ  上面側シールドカバー
１５ｂ  側部固定板
１５ｃ  前部固定板
１５ｄ  背面側シールドカバー
１５ｅ  先端延長板
１５ｆ  逃がし穴
１５ｇ  弾性バネ部材（カバー接点部）
ＧＢ  グランドバー
ＧＣ  グランドコンタクト
ＳＣ  同軸ケーブル（信号伝送媒体）
ＳＣａ  ケーブル中心導体（信号線）
ＳＣｂ  ケーブル外部導体（シールド線）
２  リセプタクルコネクタ（第２コネクタ）
２１  絶縁ハウジング（コネクタ本体部）
２２  導電コンタクト部材（第２コンタクト部材）
２２ａ  基板接続脚部
２２ｂ  接点凸部
２３  第２シールドシェル部材（導電性シェル）
２３ａ  ホールドダウン
２３ｂ  上側シェル板
２３ｃ  固定シールドプレート
２３ｄ  シェル開口部
２３ｅ  グランド接続部
２３ｆ  ロック部
２３ｇ  シェル接触片
Ｂ  印刷配線基板
Ｂ１  グランド接続用の導電路
【図１】
2016207357.tif 000003
【図２】
2016207357.tif 000004
【図３】
2016207357.tif 000005
【図４】
2016207357.tif 000006
【図５】
2016207357.tif 000007
【図６】
2016207357.tif 000008
【図７】
2016207357.tif 000009
【図８】
2016207357.tif 000010
【図９】
2016207357.tif 000011
【図１０】
2016207357.tif 000012